(57)【要約】【課題】上方から注いだ水を花株保持具の底部から花株に確実に潅水でき、一回の注水により潅水を長く持続し得る利点を備えた立体花壇形成用部材を提供すること。【解決手段】この立体花壇形成用部材Ｍは、底部側に通水孔６を有する複数の花株保持具８を設けた本体１と、本体１の支持枠２と、本体１の花株保持具８の底部側と支持枠２との間に配設される吸水性部材３とから構成されており、本体１を支持枠２に係合させる際に、花株保持具８の底部側を吸水性部材３に圧接させて、上部から散水して吸水性部材３に含浸させた水を花株Ｆに底部側から浸透給水させるように構成してある。【選択図】        図１
2004173649.tif 000002
【特許請求の範囲】
【請求項１】
少なくとも底部側に通水孔を有する複数の花株保持具を一体的に列設した立体花壇形成用部材の本体と、該本体と係合関係にある支持枠と、該本体の各花株保持具の底部側と上記支持枠との間に配設されるスポンジ、ロックウール等のシート状の吸水性部材とから構成されており、上記本体を上記支持枠に係合させる際に、本体の各花株保持具の底部側を吸水性部材に圧接させることにより、上部から散水して吸水性部材に含浸させた水を各花株保持具内の花株に底部側から浸透給水させるように構成したことを特徴とする立体花壇形成用部材。
【発明の詳細な説明】
【０００１】
【発明の属する技術分野】
本発明は、所望の場所、例えば市街地に点在する空地或は各種催し事の会場等の所要の場所に所望形状の立体花壇を容易に形成するための立体花壇形成用部材の改良に関し、特に、この種の立体花壇への潅水を容易確実に行ない得るように構成した立体花壇形成用部材に関するものである。
【０００２】
【従来の技術】
従来、この種の所望形状の立体花壇を所要の場所に簡便容易に形成するための植木鉢（花株保持具）乃至基材（基枠）としては数多くのものが提供されており、例えば、本願発明の発明者によって先に出願された実開昭６３−３３７５８号、実開昭６３−３３７５９号、実開昭６３−５０５５４号、実開昭６３−５５８４４号、実開昭６３−７１６４４号、実開昭６３−７５１４３号、実開昭６３−８５０５５号、実開昭６３−１０３２５４号、実開昭６３−１０９７５３号、実開昭６３−１１６０４５号、実開昭６３−１７４６４４号、実開平１−１４６８３７号、実開平４−２０１９８号、実開平４−１１３５５１号及び特開平１−１５７３１８号の各公報に開示されたものが知られている。
【０００３】
而して、上記の場合は、各植木鉢（花株保持具）乃至基材（基枠）を多数用いて、その花株挿入口に挿入した花株を横向きにして、直面状又は曲面状に積み重ねて形成した壁状の立体花壇（所謂ウオールフラワー）に潅水する際に、上方から水を注ぐと、注がれた水は次々に下部の植木鉢に移行して、全体の花株に十分且つ均等に潅水できない支障を生じるため、各植木鉢毎に注水用チューブをセットして潅水を行なわなければならないと言った煩瑣な手数と設備が必要であった。
【０００４】
また、上記特開平１−１５７３１８号公報には、傾斜したコンクリート面上にロックウール等の保水性敷設物を介し、基材を並列設置して、花株保持具の底面から吸水させる事例が開示されているが、この事例の場合は、保水性敷設物の上に単に基材を載置してあるだけであって、積極的に圧接していないため、吸水作用は著しく不十分であって、満足できる潅水を行ない得ない大きな問題のあることが判明した。
【０００５】
【発明が解決しようとする課題】
本発明は、上記従来技術の問題を解決することを課題として開発されたものであって、此の種の立体花壇の上方から注いだ水を全ての花株に、花株保持具の底部から略均等に確実に潅水し得ると共に、各花株保持具の底部に接する吸水性部材の保水性が良好であって、一回の注水により潅水を長く持続し得る利点を備えた立体花壇形成用部材を提供することを目的とする。
【０００６】
【課題を解決するための手段】
上記の課題を解決し、その目的を達成する手段として、本発明は、少なくとも底部側に通水孔を有する複数の花株保持具を一体的に列設した立体花壇形成用部材の本体と、該本体と係合関係にある支持枠と、該本体の各花株保持具の底部側と上記支持枠との間に配設されるスポンジ、ロックウール等のシート状の吸水性部材とから構成されており、上記本体を上記支持枠に係合させる際に、本体の各花株保持具の底部側を吸水性部材に圧接させることにより、上部から散水して吸水性部材に含浸させた水を各花株保持具内の花株に底部側から浸透給水させるように構成したことを特徴とする立体花壇形成用部材を提供するものである。
【０００７】
【発明の実施の形態】
以下、本発明の実施の形態の一例を添付図面に基づいて説明すれば、この実施の形態における立体花壇形成用部材Ｍは、本体１と、該本体１と係合関係にある支持枠２と、本体１と支持枠２との間に配設される吸水性部材３とにより構成されている。
【０００８】
上記立体花壇形成用部材Ｍの本体１は、この実施の形態では、上方を開口して形成した花株挿入口４と、輪状の底枠５を残存させて下方を開口して形成した底部側の通水口６と、周面を適宜の間隔を保って開口して形成した複数の周面側の通水口７とを備えた多数の鉢状の花株保持具８を、この実施の形態では、フラットな長方形状の基板９の裏側にプラスチック成形手段により一体的に突出させた状態で略均等な間隔で配設して構成してある。
なお、図１において、符号１０は運搬用の把っ手を示している。
【０００９】
上記本体１の支持枠２は、この実施の形態では、多数本の細めの鉄筋１１を所要の間隔をあけて格子状に交差配列し、所要の交差部を溶接して方形状に形成すると共に、本体１を収容抱持できるような形状に屈曲して構成してある。
【００１０】
即ち、この支持枠２は、本体１の背面支持部１２と、その上下を本体１の奥行長さに見合う巾長で約９０度屈曲して形成した本体１の上下面支持部１３、１３と、その上下面支持部１３、１３の先端を内側に約９０度屈曲して形成した本体１の正面側縁に対する係合辺部１４、１４と、その両係合辺部１４、１４の間に形成された、本体１を収容し、且つその正面側を露出表見させるための開放部１５と、両側に本体１を収容するための便宜を計った開口部１６、１６とを設けて構成されている。
【００１１】
上記吸水性部材３は、スポンジ、ロックウール等の良好な吸水性と保水性とを有する材料を用いて、この実施の形態では、上記支持枠２の背面支持部１２と略同じ広さと平面形状を備え、且つ適宜の厚さを有する分厚いシート状に形成してある。
【００１２】
そして、上記の吸水性部材３を支持枠２の一方の開口部１６から挿入して支持枠２の背面側の支持部１２に敷設した後、支持枠２の一方又は双方の上下面支持部１３を手で外側に押し曲げて拡開させた開放部１５から本体１を収容し、支持枠２の両係合辺部１４、１４により本体１を、その基板９の長手側の両側表面から加圧して、本体１の各花株保持具８の底部側を上記吸水性部材３に圧接させて本発明に係る立体花壇形成用部材Ｍを構成したものである。
【００１３】
上記のように構成された立体花壇形成用部材Ｍは、その本体１の各花株保持具８の輪状の底枠５が吸水性部材３を加圧しているため、図１０に略示するように、吸水性部材３の加圧された部分の内側が花株保持具８の底部側の通水口６内に入り込んで盛上がり部１７を形成している。
【００１４】
次に、上記のように構成された立体花壇形成用部材Ｍの一使用状態を作用、効果と共に説明する。
詳細には図示してないが、養土ａの周側を被覆材ｂで被覆した多数の花株Ｆを予め準備し、上記本体１の各花株保持具８内にキッチリと嵌挿して立体花壇形成用のユニットを形成し、このユニットの多数を、その各花株Ｆを正面に向けて、例えば、図８に示すような奥行が浅く、前面を開放した大きな横ながの棚状のボックスＢに数段にわたって設けた各棚に載置配設し、図９に示すような従来周知の壁状の立体花壇ＷＦ（ウォールフラワー）を形成する。
【００１５】
なお、被覆材ｂで被覆された花株Ｆは、花株保持具８の花株挿入口４から挿入された時点で、本体１と支持枠２との間に敷設された吸入性部材３と密着するため、花株Ｆの根は栽培場で養生育成されている間に、吸水性部材３の表面に向って伸長成育する。
【００１６】
また、栽培場から展示する場所に搬入設置する際にも、本体１と支持枠２との間に挾まれた吸水性部材３は、これらと一体になっているため、花株Ｆの根の状態が安定しており、移植時のような植えいたみ等のダメージが全くなく、最良の状態が花飾りを実施できる。
【００１７】
上記のように構成した壁状の立体花壇ＷＦに潅水する場合は、例えば、各ユニットの上部から散水すると、図１０に矢印で示すように、散水されたＷは花株保持具８の底面側に設けた吸水性部材３に吸収され、下方に移行しつつ各花株保持具８内の花株Ｆの底部側から浸透して給水するが、上述したように各花株保持具８の下部で圧接された吸水性部材３は、各花株保持具８の底部側の通水口６内に入り込んで盛上がり部１７を形成し、花株Ｆの養土ａと接触しているので、この盛上がり部１７内に吸収された水Ｗは養土ａ内に効率よく吸収されて花株Ｆに確実に給水される利点がある。
【００１８】
また、この吸水性部材３の盛上がり部１７は、その盛上がった膨出形状により優れた保水作用があるので水の恰好な貯溜部となって、一回の散水より長日時にわたる理想的な給水を行うことができる。
【００１９】
以上、本発明の一つの実施の形態について説明したが、本発明はこの実施の形態に限定されるものではなく、例えば、本体１と支部枠２に可曲性材料を使用することによって形成した円弧状又は円筒状の立体花壇や、柱状の立体花壇等の形成用部材にも適用できると共に、各部材の設計的変更も可能であって、要するに本発明の目的を達成でき且つ発明の要旨を逸脱しない範囲内での変更は可能である。
【００２０】
【発明の効果】
本発明は、少なくとも底部側に通水孔を有する複数の花株保持具を一体的に列設した立体花壇形成用部材の本体と、該本体と係合関係にある支持枠と、該本体の各花株保持具の底部側と上記支持枠との間に配設されるスポンジ、ロックウール等のシート状の吸水性部材とから構成されており、上記本体を上記支持枠に係合させる際に、本体の各花株保持具の底部側を吸水性部材に圧接させることにより、上部から散水して吸水性部材に含浸させた水を各花株保持具内の花株に底部側から浸透給水させるように構成したことを特徴とする立体花壇形成用部材に係り、上記のようにして使用するものであるから、次の優れた効果を奏する。
【００２１】
各花株保持具の底部で圧接された吸水性部材は、各花株保持具の底部側の通水口内に入り込んで盛上がり部を形成し、この盛上がり部を介して花株の養土と接触するので、この立体花壇形成用部材の上方から散水されて流下する水は、従来のように唯単に流下するのみでなく、この盛上がり部に吸水され、その水は養土内に効率よく吸収されて花株に確実に潅水できる。
【００２２】
この吸水性部材の盛上がり部は、その盛上がった膨出形状により優れた保水作用があるので、水の恰好な貯溜部となって一回の散水より長日時にわたって理想的な潅水を行うことができる。
【図面の簡単な説明】
【図１】本発明の実施の形態の一例を示す正面図である。
【図２】背面図である。
【図３】平面図である。
【図４】図３の１部の拡大平面図である。
【図５】拡大側面図である。
【図６】その分解側面図である。
【図７】本部材の花株保持部の一部に花株を嵌挿した状態の正面図である。
【図８】本部材を嵌挿載置して壁状の立体花壇を形成するための棚状のボックスの一例を示す正面図である。
【図９】花株を嵌挿した多数の本部材を棚状のボックス内に嵌挿載置して形成した壁状の立体花壇の一例を示す正面図である。
【図１０】本部材に潅水作用の説明図である。
【符号の説明】
１  本体
２  支持枠
３  吸水性部材
４  花株挿入口
５  輪状の底枠
６  底部側の通水口
７  周面側の通水口
８  鉢状の花株保持具
９  長方形状の基板
１０  把っ手
１１  鉄筋
１２  背面支持部
１３  上下面支持部
１４  係合辺部
１５  開放部
１６  開口部
１７  盛上がり部
Ｍ    立体花壇形成用部材
Ｆ    花株
ａ    養土
ｂ    被覆材
Ｂ    棚状のボックス
ＷＦ  壁状の立体花壇
Ｗ    水
【図１】
2004173649.tif 000003
【図２】
2004173649.tif 000004
【図３】
2004173649.tif 000005
【図４】
2004173649.tif 000006
【図５】
2004173649.tif 000007
【図６】
2004173649.tif 000008
【図７】
2004173649.tif 000009
【図８】
2004173649.tif 000010
【図９】
2004173649.tif 000011
【図１０】
2004173649.tif 000012